(57)【要約】  【課題】  照明器具の昇降作業を省力かつ安全に行える昇降式照明装置技術の提供。  【解決手段】  照明器具を取付け可能な第１のアーム部材２と該第１のアーム部材と所定の開角をもって結合された第２のアーム部材３とを支点周りに回動可能に設け、ロープ材４による外力で第２のアーム部材３を支点周りに回動変位させることで第１のアーム部材も支点周りに回動変位させ、照明器具を昇降させる。両アーム部材が所定の回動変位量に達した位置で、第２のアーム部材３を保持部材５により保持し、照明器具を所定位置に支持する。【選択図】  図１
2005251536.tif 000002
【特許請求の範囲】
【請求項１】
照明器具を昇降する昇降式照明装置であって、
上記照明器具が取付けられる構造をその第１の端部側に備えた第１のアーム部材と、
上記第１のアーム部材の第２の端部側において該第１のアーム部材と所定の開角をもってその第１の端部側が結合された第２のアーム部材と、
上記第１のアーム部材の第２の端部側または上記第２のアーム部材の上記第１の端部側が回動可能に係合された支点部と、
上記支点部よりも上方の位置に配された滑車または第１のローラと、
上記第２のアーム部材の第２の端部側に設けられた第２のローラと、
上記滑車または第１ローラ及び上記第２のローラを通り、上記第２のアーム部材の上記第２の端部側を移動変位させるロープ材と、
上記第２のアーム部材の上記第２の端部側を所定の変位位置で保持する保持部材と、
を備え、上記ロープ材に引張り外力が与えられたとき、該引張り外力を上記第２のアーム部材に伝えて該第２のアーム部材と上記第１のアーム部材を上記支点部周りに回動変位させ、所定の回動変位量の位置で該第２のアーム部材を上記保持部材により保持する構成としたことを特徴とする昇降式照明装置。
【請求項２】
上記保持部材は、上記第２のアーム部材の上記第２の端部側を入り込ませる凹状部を有する第１の部分と、該凹状部側に上記第２のアーム部材の上記第２の端部側を案内する第２の部分とを備え、上記ロープ材による引張り外力で上記第２のアーム部材が回動変位するとき、該第２のアーム部材の第２の端部側を、上記第２の部分で案内して上記第１の部分の上記凹状部に入り込ませ、該凹状部で保持する構成である請求項１に記載の昇降式照明装置。
【請求項３】
上記第１のアーム部材と上記第２のアーム部材との間の上記開角は９０°以下とされる請求項１または請求項２に記載の昇降式照明装置。
【発明の詳細な説明】
【技術分野】
【０００１】
本発明は、照明器具を昇降可能な昇降式照明装置の構成に関する。
【背景技術】
【０００２】
本発明に関連した従来技術としては、例えば、特開平１０−３２６５１９号公報（特許文献１）、特開平１１−３９９３０号公報（特許文献２）、特開２００１−１８４９３５号公報（特許文献３）及び特開２００３−７７３３４号公報（特許文献４）に記載されたものがある。これらはいずれも、天井面からワイヤロープ等により照明器具を吊り下げる構成である。
【０００３】
【特許文献１】特開平１０−３２６５１９号公報
【０００４】
【特許文献２】特開平１１−３９９３０号公報
【特許文献３】特開２００１−１８４９３５号公報
【特許文献４】特開２００３−７７３３４号公報
【発明の開示】
【発明が解決しようとする課題】
【０００５】
上記従来技術では、装置が大型化し易く、製作コストや設置コストも増大し易い。また、昇降操作もモータ動力等に頼らざるを得ず、人力による簡易な操作は困難である。さらに、大型化し易いことや天井からの吊り下げ構造などのために、照明器具の昇降作業にあたっては安全性にも十分注意する必要がある。
本発明の課題点は、上記従来技術の状況に鑑み、昇降式照明装置において、照明器具の昇降作業を省力かつ安全な状態で行うことができるようにすることである。
本発明の目的は、かかる課題点を解決し、使用勝手の良い昇降式照明装置技術を提供することにある。
【課題を解決するための手段】
【０００６】
上記課題点を解決するために、本発明では、昇降式照明装置として、照明器具を取付け可能な第１のアーム部材（該当実施例：符号２）と該第１のアーム部材と所定の開角をもって結合された第２のアーム部材（該当実施例：符号３）とを支点周りに回動可能に設け、ロープ材４による外力で第２のアーム部材を支点周りに回動変位させることで第１のアーム部材も支点周りに回動変位させて照明器具を昇降させる。両アーム部材が所定の回動変位量に達した位置で、第２のアーム部材を保持部材（該当実施例：符号５）により保持し、照明器具を所定位置に支持する構成とする。
【発明の効果】
【０００７】
本発明によれば、昇降式照明装置を簡易構成で低コストなものにできる。また、照明器具や部品の交換等を省力で安全に行うことができる。
【発明を実施するための最良の形態】
【０００８】
以下、本発明を実施するための最良の形態につき、図面を用いて説明する。
図１及び図２は、本発明の実施形態の説明図である。図１は、本発明の実施形態としての昇降式照明装置の構成例図、図２は、図１の装置構成における保持部材の構成例図である。
【０００９】
図１において、１は照明器具、２は、照明器具１が取付けられる構造をその第１の端部側（本実施形態ではアーム先端側）に備えた第１のアーム部材としての主アーム部材、３は、主アーム部材２の第２の端部側（本実施形態ではアーム根元側）において該主アーム部材２と所定の開角をもってその第１の端部側（本実施形態ではアーム根元側）が結合された第２のアーム部材としての補助アーム部材、４は、引張り外力を与えられ、照明器具１の昇降操作を行う昇降操作用のロープ材、５は、補助アーム部材３の第２の端部側（本実施形態ではアーム先端側）を所定の変位位置に保持する保持部材、６は、ロープ材４の移動を案内する滑車または第１のローラ、７は、主アーム部材２の第２の端部側（アーム根元側）または補助アーム部材３の第１の端部側（アーム根元側）が回動可能に係合された支点部材、８は、補助アーム部材３の第２の端部側（アーム先端側）に設けられた第２のローラ、１３は支持用ワイヤ、９は、支持用ワイヤ１３が結合されるワイヤ結合部材、１０は装置基材、１１は装置基材１０を固定する建物側の部材、１２は照明器具１の接続コード、１４は、照明器具１を主アーム部材２に取付ける照明器具取付け部材、２０は建物の床面、３０は作業者である。主アーム部材２と補助アーム部材３は、９０°以下の開角をもって結合されている。ロープ材４は、滑車または第１のローラ６と第２のローラ８に巻き付けられ、作業者３０が引張り外力を与えることにより、第２のローラ８を滑車または第１のローラ６側に引き寄せるようになっている。Ａは、照明器具１を電球の交換作業等を行うなどのために、床面２０の近くに降ろしたときの該照明器具１の位置、Ｂは、照明器具１が所定の照明位置にあるときの該照明器具１の位置である。
【００１０】
上記構成において、照明器具１をＡ位置からＢ位置に移動させる場合、作業者３０がロープ材４を引張ると、第２のローラ８が、滑車または第１のローラ６側に引き寄せられ、該第２のローラ８が取付けられた補助アーム部材３が、支点部材７中の支点周りに回動変位する。該補助アーム部材３の回動変位に付随して、該補助アーム部材３に結合された主アーム部材２も回動変位する。該主アーム部材２の回動変位により、その第１の端部側（アーム先端側）が上昇移動し、照明器具１を上昇させる。補助アーム部材３及び主アーム部材２が回動変位を続け、所定の回動変位量に達すると、その位置で該補助アーム部材３は保持部材５に保持される。この保持位置で、主アーム部材２は略水平状態となり、照明器具１はＢ位置とされる。
【００１１】
図２は、上記図１の装置に用いる保持部材５（図１）の構成例図で、（ａ）は補助アーム部材３を保持する保持動作時の状態を示し、（ｂ）は補助アーム部材３の保持を解放する保持解放動作時の状態を示す。本図２の説明中で用いる上記図１の構成要素には、該図１の場合と同じ符号を付す。
【００１２】
図２において、５１は、保持部材５内で補助アーム部材３の第２の端部側（アーム先端側）を入り込ませる凹状部５１ａを有する第１の部分、５２は、保持部材５内で該凹状部５１ａ側に上記補助アーム部材３の上記第２の端部側を案内する第２の部分、５３は、保持部材５内で上記第１の部分５１の上記凹状部５１ａの入口部（開口部）５１ｂを覆う第３の部分、５４は、該第３の部分５３に結合されたばね等の弾性部材、５５は、装置基材１０へ保持部材５を固定する固定部である。
【００１３】
上記構成において、照明器具１をＡ位置からＢ位置に移動させる場合は、図２（ａ）に示すように、作業者３０の操作によるロープ材４の引張り外力に基づき、補助アーム部材３が、支点部材７側に係合された該補助アーム部材３の第１の端部側（アーム根元側）を支点に（イ）位置から回動変位し、その第２の端部側（アーム先端側）部分が保持部材５の上記第２の部分５２の位置（（ロ）位置）に達すると、該第２の端部側部分は該第２の部分５２の表面に接して案内され、第１の部分５１の外表面部を経て、第３の部分５３の表面に当接する（（ハ）位置）。該当接した該第２の端部側部分は、ロープ材４の引張り外力に基づくその移動変位力が弾性部材５４の弾性復元力よりも大きいために、弾性部材５４を変位させることで第３の部分５３をａ位置からｂ位置に変位させ、上記凹状部５１ａの入口部（開口部）５１ｂに隙間を形成させ、該隙間から該凹状部５１ａ内に進入する（（ニ）位置）。進入後、作業者３０がロープ材４の引張り外力を弱めると、照明器具１や主アーム部材２や補助アーム部材３の自重などに基づき補助アーム部材３の該第２の端部側部分が該第３の部分５３から離れて（ホ）位置に移動する。該第２の端部側部分が該第３の部分５３から離れると、該第３の部分５３は弾性部材５４の弾性復元力により戻り変位して、凹状部５１ａの入口部（開口部）５１ｂを再び覆う。補助アーム部材３の該第２の端部側部分は、該凹状部５１ａ内では、照明器具１や主アーム部材２や補助アーム部材３の自重などに基づき（ホ）位置からさらに移動し、該凹状部５１ａの底面部で移動を停止し、該底面部の停止位置に保持される（（ヘ）位置）。補助アーム部材３の該第２の端部側部分の、上記（イ）位置から（ヘ）位置に至る一連の変位動作は、支点部材７側に係合された該補助アーム部材３の第１の端部側（アーム根元側）を支点とした回動変位動作として行われる。
【００１４】
上記一連の変位動作の経路のうち、（ロ）位置から、（ハ）位置を経て（ニ）位置に至る経路においては、該補助アーム部材３の該第２の端部側部分は、（イ）位置と（ロ）位置を通る直線上から偏移した状態で変位し、（ホ）位置から（ヘ）位置に至る経路においては再び、上記（イ）位置と（ロ）位置を通る直線上に復帰した状態で変位する。主アーム部材２は、上記補助アーム部材３の回動変位動作に付随して、支点部材７側に係合された該主アーム部材２の第２の端部側（アーム根元側）を支点とした回動変位動作を行い、その第１の端部側（アーム先端側）が上昇移動することで、照明器具１をＡ位置からＢ位置に移動させる。
【００１５】
一方、照明器具１をＢ位置からＡ位置に移動させる場合は、図２（ｂ）に示すように、作業者３０によりロープ材４に引張り外力が与えられると、補助アーム部材３が回動変位し、その第２の端部側（アーム先端側）部分が、保持部材５の凹状部５１ａ内の底面部の停止位置（（イ）位置）を離れ、（ロ）位置を経て（ハ）位置に移動する。該（ハ）位置では補助アーム部材３の第２の端部側（アーム先端側）部分は、第３の部分５３に当接し、弾性部材の弾性復元力にうち勝って該第３の部分５３を変位させて、該凹状部５１ａの入口部（開口部）５１ｂに隙間を形成させ、該第３の部分５３に当接したまま該隙間から該凹状部５１ａの外側に出る（（ニ）位置）。補助アーム部材３の第２の端部側部分（アーム先端側部分）は、ロープ材４の引張り外力によりさらに、該第３の部分５３に当接したまま移動変位し（（ホ）位置）、最後に、該第３の部分５３への当接が解放される（ヘ）位置に至り、該（ヘ）位置で停止する。
補助アーム部材３の第２の端部側（アーム先端側）部分の上記（ハ）位置から上記（ホ）位置への移動のとき、保持部材の第３の部分５３は、弾性部材５４の弾性復元力に抗してａ位置からｃ位置に回動変位する。
【００１６】
補助アーム部材３の第２の端部側（アーム先端側）部分が、（ホ）位置から（ヘ）位置に移動することで該第２の端部側部分（アーム先端側部分）の該第３の部分５３への当接が解放されると、該第３の部分５３は弾性部材５４の弾性復元力により戻り変位して、凹状部５１ａの入口部（開口部）５１ｂを再び覆う。その後、作業者３０がロープ材４の引張り外力を弱めると、該補助アーム部材３及び主アーム部材２は、照明器具１や主アーム部材２や補助アーム部材３の自重などに基づき回動変位する。このため、該補助アーム部材３の第２の端部側（アーム先端側）部分は、上記（ヘ）位置から、保持部材５の第１の部分５１の外表面部の（ト）位置を経、第３の部分５３の表面部の（チ）位置、（リ）位置及び（ヌ）位置を経て、再び第１の部分５１の表面部の（ル）位置を通り、さらに第２の部分５２の表面部の（ヲ）位置を経、やがて該保持部材５を離れてさらに（ワ）位置に変位する。主アーム部材２は、該補助アーム部材３とともに支点周りに回動変位してその第１の端部側（アーム先端側）を移動させ、照明器具１をＢ位置からＡ位置に移動させる。補助アーム部材３の該第２の端部側部分の、図２（ｂ）における上記（イ）位置から（ワ）位置に至る一連の変位動作も、支点部材７側に係合された該補助アーム部材３の第１の端部側（アーム根元側）を支点とした回動変位動作として行われる。
【００１７】
上記該一連の変位動作の経路のうち、（ハ）位置から、（ニ）位置、（ホ）位置、（ヘ）位置、（ト）位置、（チ）位置、（リ）位置、（ヌ）位置及び（ル）位置を経て（ヲ）位置に至る経路においては、該補助アーム部材３の該第２の端部側部分は、（イ）位置、（ロ）位置及び（ハ）位置を通る直線上から偏移した状態で変位し、（ヲ）位置から（ワ）位置に至る経路においては再び、上記（イ）位置、（ロ）位置及び（ハ）位置を通る直線上に復帰した状態で変位する。
【００１８】
上記本発明の実施形態によれば、昇降式照明装置において、装置構成の簡易化、装置の小型化及び低コスト化に加え、照明器具１の昇降操作の容易化等が可能となる。特に、主アーム部材２に対する補助アーム部材３の相対的長さを調整することにより、ロープ材４の必要な引張り外力を調整することができる。また、主アーム部材２と補助アーム部材３は、９０°以下の開角をもって結合されるため、補助アーム部材３を必要な傾角をもって安定に保持部材５により保持した状態で、主アーム部材２を略水平に保つことができる。また、第１のローラ６に動滑車を用いた場合はロープ材４の必要な引張り外力を軽減することができる。
【００１９】
なお、上記実施形態では、主アーム部材２と補助アーム部材３は、９０°以下の開角をもって結合される構成としたが、本発明はこれに限定されず、９０°を超える開角で結合される構成であってもよい。また、ロープ材４は直接、作業者３０が引張り外力を与える構成としたが、モータ動力等を利用する構成としてもよい。
【図面の簡単な説明】
【００２０】
【図１】本発明の実施形態としての昇降式照明装置の構成例図である。
【図２】図１の装置構成に用いる保持部材の構成例図である。
【符号の説明】
【００２１】
１…照明器具、
２…主アーム部材、
３…補助アーム部材、
４…ロープ材、
５…保持部材、
６…第１のローラ、
７…支点部材、
８…第２のローラ、
９…ワイヤ結合部材、
１０…装置基材、
１１…建物側部材、
１２…接続コード、
１３…支持用ワイヤ、
１４…照明器具取付け部材、
２０…床面、
５１…第１の部分、
５１ａ…凹状部、
５１ｂ…入口部
５２…第２の部分、
５３…第３の部分、
５４…弾性部材、
５５…固定部。
【図１】
2005251536.tif 000003
【図２】
2005251536.tif 000004